(57)【要約】      （修正有）【課題】発電基板とジャンクションボックス間の接続構造を有する発電基板装置を提供する。【解決手段】発電基板装置は、発電基板１１０と固定シール材１４０と保護フレームとジャンクションボックス１２０を含む。保護フレーム（を構成するロッド部材１５０ｔ）は固定シール材１４０により発電基板１１０の少なくとも一側辺部分に固定される。ジャンクションボックス１２０の一部が保護フレームに嵌入する。固定シール材１４０の機能は、保護フレームと発電基板１１０とジャンクションボックス１２０を一体的に粘着させることである。【選択図】図３Ｂ
0003200062.tif 000002
【実用新案登録請求の範囲】
【請求項１】
発電基板と、
固定シール材と、
前記固定シール材により前記発電基板の少なくとも一側辺部分に固定される保護フレームと、
一部が前記保護フレームに嵌入するジャンクションボックスと、
を含み、
前記固定シール材が前記保護フレームと前記発電基板との間に塗布されることを特徴とする発電基板装置。
【請求項２】
前記保護フレームは、複数のロッド部材を含み、該ロッド部材のうちの一つには溝部が設けられ、
前記ジャンクションボックスの前記一部を前記溝部に嵌入させることを特徴とする請求項１記載の発電基板装置。
【請求項３】
前記固定シール材は、前記ジャンクションボックスと前記発電基板の側辺部分との間に塗布されることを特徴とする請求項２に記載の発電基板装置。
【請求項４】
前記ジャンクションボックスは、本体部及び固定ベースを含み、
前記固定ベースは、第１部分及び第２部分を含み、
前記第１部分の大きさ及び形状は前記溝部に合わせられ、且つ前記第１部分は前記溝部に嵌入され、
前記第２部分は、前記第１部分に接続され、前記第２部分には収容空間が設けられ、且つ前記収容空間の大きさ及び形状は前記本体部の一部分に合わせられ、且つ前記本体部の前記一部分は収容空間に嵌入されることを特徴とする請求項２記載の発電基板装置。
【請求項５】
前記ジャンクションボックスは、本体部及び固定ベースを含み、
前記固定ベースの複数の側辺はそれぞれ嵌合部及び固定部を含み、
前記固定ベースの全ての側辺の前記嵌合部を組み合わせた後の大きさ及び形状は、いずれも溝部に合わせられ、
且つ前記固定ベースの全ての側辺の前記固定部を組み合わせた後、収容空間が設けられ、前記収容空間の大きさ及び形状はそれぞれ前記本体部の一部分に合わせられ、且つ前記本体部の前記一部分は、収容空間内に嵌入されることを特徴とする請求項２記載の発電基板装置。
【請求項６】
前記本体部の前記一部分には少なくとも一つの開口が設けられ、前記固定シール材は、前記本体部の前記一部分の前記少なくとも一つの開口に更に充填されるとともに、前記本体部の内部に浸入することを特徴とする請求項４又は５記載の発電基板装置。
【請求項７】
前記固定シール材が前記ジャンクションボックスの内部の全てに充填されることを特徴とする請求項６記載の発電基板装置。
【請求項８】
前記ジャンクションボックスの前記本体部及び前記固定ベースは一体成型されることを特徴とする請求項４又は５記載の発電基板装置。
【請求項９】
前記ジャンクションボックスの前記本体部及び前記固定ベースは一体形成されていないことを特徴とする請求項４又は５記載の発電基板装置。
【請求項１０】
前記ジャンクションボックスと前記保護フレームの接続箇所に更に別の固定シール材を塗布することを特徴とする請求項１から５のいずれか一項に記載の発電基板装置。
【考案の詳細な説明】
【技術分野】
【０００１】
本考案は、発電基板装置に関し、特に、発電基板とジャンクションボックス間の接続構造を有する発電基板装置に関する。
【背景技術】
【０００２】
ジャンクションボックスは太陽電池部品の一つの部材であり、それは複数の太陽電池パネルモジュールが発出する電力を集めた後、更に出力する。ジャンクションボックスがなければ、太陽電池モジュールはその発電機能を適切に運行できず、また安全上の問題も発生しかねない。図１を参照すると、周知の太陽電池パネルモジュールがジャンクションボックスを取り付けた構造の概略図である。前記周知太陽電池パネルモジュールがジャンクションボックスを取り付けた構造は、太陽電池パネルモジュール１０と、ジャンクションボックス１２と、固定シール材（fixing sealant）１４を含み、ジャンクションボックス１２は前記太陽電池パネルモジュール１０の外側辺に塗布した固定シール材１４を利用することにより、太陽電池パネルモジュール１０の一側に位置決めされる。
【０００３】
しかし、固定シール材１４だけでジャンクションボックス１２を固定しているので、ジャンクションボックス１２は外力により容易に外れてしまう。この他、固定シール材は硬化するために一定時間必要であり、硬化していない間は、ジャンクションボックス１２は外力や重力の影響により容易に外れたり、ずれたりしてしまう。
【０００４】
このことを考慮して、現在、当業者は、例えば、台湾特許I４４９１９５号のような他のタイプの発電基板とジャンクションボックス間の接続構造を開発した。しかし、この構造は製造工程が依然として煩雑であるので、改良後の発電基板とジャンクションボックス間の接続構造が必要であった。
【考案の概要】
【考案が解決しようとする課題】
【０００５】
本考案の実施例の目的は発電基板装置を提供することである。
【課題を解決するための手段】
【０００６】
実施例において、発電基板装置は、発電基板と固定シール材と保護フレームとジャンクションボックスを含む。保護フレームは固定シール材により発電基板の少なくとも一側辺部分に固定される。ジャンクションボックスの一部が保護フレームに嵌入する。固定シール材の機能は、脱落や歪みを防止するとともに、国際認証標準に符合させるように、保護フレームと発電基板とジャンクションボックスを一体的に粘着させることである。
【０００７】
実施例において、保護フレームは、複数のロッド部材を含み、これらロッド部材のうち第１ロッド部材に溝部を設け、ジャンクションボックスの一部を溝部に嵌入させる。
【０００８】
実施例において、固定シール材は、ジャンクションボックスと発電基板の側辺部分との間に塗布される。
【０００９】
実施例において、ジャンクションボックスは、本体部及び固定ベースを含む。固定ベースは、第１部分及び第２部分を含む。第１部分の大きさ及び形状は溝部に合わせられ、且つ第１部分は溝部に嵌入される。第２部分は第１部分に接続され、第２部分は収容空間を設け、且つ収容空間の大きさ及び形状は本体部の一部分に合わせられ、且つ本体部の一部は収容空間に嵌入される。
【００１０】
実施例において、ジャンクションボックスは、本体部及び固定ベースを含む。固定ベースの複数の側辺はいずれも嵌合部及び固定部を含む。固定ベースの全ての側辺のこれら嵌合部を組み合わせた後の大きさ及び形状は、いずれも溝部に合わせられ、且つ固定ベースの全ての側辺のこれら固定部を組み合わせた後、収容空間が設けられ、収容空間の大きさ及び形状はいずれも本体部の一部分に合わせられ、且つ本体部の一部分は、収容空間内に嵌入される。
【００１１】
実施例において、本体部の前記一部分は少なくとも一の開口を設け、固定シール材は、本体部の前記一部分の少なくとも一の開口に更に充填され、本体部の内部に浸入する。固定シール材がジャンクションボックスの内部全てに充填されることがより好ましい。
【００１２】
実施例において、ジャンクションボックスの本体部及び固定ベースは一体成型されている。実施例において、ジャンクションボックスの本体部及び固定ベースは一体形成されていない。
【００１３】
実施例において、ジャンクションボックスと保護フレームの接続箇所に更に別の固定シール材を塗布する。
【考案の効果】
【００１４】
本考案の実施例によれば、保護フレーム１５０を更に設けることにより、発電基板の欠けにより破損して使用できなくなることが防止できると同時に、ジャンクションボックスの一部分が保護フレームに設けられる溝部に嵌入して、ジャンクションボックスを保護フレームに更に堅固に固定することができる。
【図面の簡単な説明】
【００１５】
【図１】図１は、周知のソーラーパネルモジュールのジャンクションボックスの取り付け構造図である。
【図２】図２は、本考案の実施例の発電基板とジャンクションボックス間の接続構造図である。
【図３Ａ】図３Ａは、図２における領域Ｓの本考案の実施例の分解図である。
【図３Ｂ】図３Ｂは、図２における断面線ＡＡの本考案の実施例の断面図である。
【図４Ａ】図４Ａは、図２における領域Ｓの本考案の実施例の分解図である。
【図４Ｂ】図４Ｂは、図２における断面線ＡＡの本考案の実施例の断面図である。
【図４Ｃ】図４Ｃは、固定ベースの立体図である。
【図５Ａ】図５Ａは、図２における断面線ＡＡの本考案の実施例の断面図である。
【図５Ｂ】図５Ｂは、図２における断面線ＡＡの本考案の実施例の断面図である。
【図５Ｃ】図５Ｃは、図２における断面線ＡＡの本考案の実施例の分断面図である。
【図６】図６は、本考案の実施例の発電基板とジャンクションボックス間の接続構造図である。
【考案を実施するための形態】
【００１６】
＜実施例＞
図２は、本考案の実施例の発電基板とジャンクションボックス間の接続構造図である。図２に示すように、本考案の実施例によれば、発電基板装置１００は、発電基板装置１００と保護フレーム１５０と固定シール材１４０（図３Ｂを参照）と、ジャンクションボックス１２０とを含む。発電基板１１０は、例えばソーラーパネルモジュール又はその他発電に用いる基板であってもよい。本考案は発電基板１１０の基板の材質を制限せず、例えば、ガラス基板であってもよく、建築物の外壁とすることができるガラス基板であることがより好ましい。保護フレーム１５０は発電基板１１０を保護し、発電基板１１０が後工程において、衝撃による欠けが発生することを防ぐ。保護フレーム１５０は、４つのロッド部材１５０ｔ、１５０ｂ、１５０ｒ、１５０ｌを含み、且つ発電基板１１０の辺縁を囲繞する。具体的には、４つのロッド部材１５０ｔ、１５０ｂ、１５０ｒ、１５０ｌは、固定シール材１４０により発電基板１１０の辺縁を固定する。ジャンクションボックス１２０の一部分がロッド部材１５０ｔに嵌入し、且つ固定シール材１４０によりロッド部材１５０ｔに固定される。電線１６１及び１６２はそれぞれジャンクションボックス１２０に貫入して相互に電気的に接続される。
【００１７】
図３Ａは、図２における領域Ｓの本考案の実施例の分解図である。図３Ｂは、図２における断面線ＡＡの本考案の実施例の断面図である。図３Ａ及び図３Ｂに示されるように、ロッド部材１５０ｔの上面に溝部１５１が設けられ、ジャンクションボックス１２０の一部分が溝部１５１に嵌入される。ジャンクションボックス１２０の底面と発電基板１１０の側辺部との間に固定シール材１４０が塗布されて、発電基板と保護フレームとジャンクションボックスが一体的に粘着固定される。
【００１８】
図４Ａは、図２における領域Ｓの本考案の実施例の分解図である。図４Ｂは、図２における断面線ＡＡの本考案の実施例の断面図である。図４Ａ及び図４Ｂの実施例と図３Ａ及び図３Ｂはほぼ同一であるので、同一部材は同一の符号を使用するとともに、関連説明を省略し、以下において異なる個所を説明する。図４Ａ及び図４Ｂに示されるように、本実施例において、ジャンクションボックス１２０ａは、本体部１２１と固定ベース１２２を含む。図３Ａ及び図３Ｂの実施例のジャンクションボックス１２０は一体成型の部材であり、これが異なる。図４Ａ及び図４Ｂの実施例のジャンクションボックス１２０ａは一体成型ではなく、且つ本体部１２１の一部分が固定ベース１２２に嵌入される。
【００１９】
図４Ｃは、固定ベースの立体図である。図４Ｃに示されるように、具体的には、固定ベース１２２が細長状であり、且つ固定ベース１２２の中間に収容空間２２１が設けられて本体部１２１を収容する。実施例において、固定ベース１２２は４つの側辺から構成された細長状であり、一体成型であることがより好ましい。固定ベース１２２のいずれか一側辺は嵌合部２２２及び固定部２２３を含む。嵌合部２２２はロッド部材１５０ｔの溝部１５１内に嵌入され、且つ固定ベース１２２の全ての側辺の嵌合部２２２を組み合わせた後の大きさ及び形状はいずれも溝部１５１に合わせられる。固定部２２３が嵌合部２２２に接続され、且つ固定ベース１２２の全ての側辺の固定部２２３を組み合わせた後、その設けられる収容空間２２１の大きさ及び形状はいずれも本体部１２１の底部に合わせられ、本体部１２１の底部を固定部２２３に設けられた収容空間２２１内に嵌入する。固定部２２３の外側面が嵌合部２２２の外側面に突出することが好ましく、固定ベース１２２の全ての側辺の固定部２２３を組み合わせた後の体積の大きさは、固定ベース１２２の全ての側辺の嵌合部２２２を組み合わせた後の体積の大きさより大きい。この設計により、ジャンクションボックス１２０ａの幅が大きくなっても、ロッド部材１５０ｔの溝部１５１内に固定することができる。
【００２０】
この他、実施例において、固定ベース１２２の両端の側辺の固定部２２３は、電線収容凹溝２２４を更に設けて、電線１６１と１６２を収容する。
【００２１】
図４Ｂに示されるように、固定シール材１４０はロッド部材１５０ｔの内部に充填される以外に、固定シール材１４０は、固定ベース１２２の全ての側辺の嵌合部２２２を組み合わせた後に設けられる空間中に更に充填され、且つ本体部１２１の底面に塗布され、ジャンクションボックス１２０ａをロッド部材１５０ｔに固定する。
【００２２】
本実施例において、ジャンクションボックス１２０ａの本体部１２１及び固定ベース１２２は一体形成ではない。ジャンクションボックス１２０ａの本体部１２１がロッド部材１５０ｔの溝部１５１に嵌入できない場合、注文に応じた規格の固定ベース１２２を設計することにより、固定ベース１２２の固定部２２３及び嵌合部２２２をジャンクションボックス１２０ａの本体部１２１及びロッド部材１５０ｔの溝部１５１にそれぞれ合わせることができる。このように、異なる規格のジャンクションボックス１２０ａが存在しても、ロッド部材１５０ｔの金型を改めて設計する必要がなく、新たに設計した固定ベース１２２を使用するだけでいいので、ロッド部材１５０ｔの新たな金型を再度開発するコストを削減することができる。
【００２３】
本考案は前記ジャンクションボックス１２０及び１２０ａの構造に限定されるものではないことを理解していただきたい。実施例において、ジャンクションボックス１２０ａの本体部１２１及び固定ベース１２２は一体形成であってもよい。又は、実施例において、ジャンクションボックス１２０の底部に溝部１５１の形状及び大きさに符合する嵌合部を直接形成してもよい。
【００２４】
図５Ａは、図２における断面線ＡＡの本考案の実施例の断面図である。図５Ａの実施例と図４Ｂの実施例はほぼ同一であるので、同一の部材は同一の符号を使用するとともに、関連説明を省略し、以下において異なる個所のみを説明する。図５Ａに示されるように、本体部１２１の底面に少なくとも一の開口２１１を設け、固定シール材１４０が本体部１２１の底面の開口２１１内に更に充填され、且つ本体部１２１の内部に浸入する。このように、ジャンクションボックス１２０ａをロッド部材１５０ｔに堅固に固定することができる。
【００２５】
図５Ｂは、図２における断面線ＡＡの本考案の実施例の断面図である。図５Ｂの実施例と図５Ａの実施例はほぼ同一であるので、同一の部材は同一の符号を使用するとともに、関連説明を省略し、以下において異なる個所のみを説明する。図５Ｂに示されるように、実施例において、固定シール材１４０はジャンクションボックス１２０ａの内部全てを充填してもよく、且つジャンクションボックス１２０ａ内の電線又はそのコネクタを覆うことにより、防水効果が更に達成できる。この他、実施例において、ジャンクションボックス１２０ａとロッド部材１５０ｔの接続箇所に更に別の固定シール材１４１の層を塗布してもよい。このような設計により、より優れた固定効果又は防水効果が達成できる。
【００２６】
図５Ｃは、図２における断面線ＡＡの本考案の実施例の断面図である。図５Ｃの実施例は図５Ａの実施例とほぼ同一であるので、同一の部材は同一の符号を使用するとともに、関連説明を省略し、以下において異なる個所のみを説明する。図５Ｃに示されるように、実施例において、固定シール材１４０の一部分が固定ベース１２２の嵌合部２２２及び溝部１５１の側壁との間に塗布される。これにより固定ベース１２２の嵌合部２２２と溝部１５１の側壁の間の隙間から水分が浸入することを避けることができる。
【００２７】
図６は、本考案の実施例の発電基板とジャンクションボックス間の接続構造図である。図６の実施例は図２の実施例とほぼ同一であるので、同一の部材は同一の符号を使用するとともに、関連説明を省略し、以下において異なる個所のみを説明する。本考案は保護フレームの形式を制限するものではなく、図６に示されるように、実施例において、保護フレーム１５０は、ロッド部材１５０ｔだけを含み、且つ前記ロッド部材１５０ｔの長さは発電基板装置１００の側辺の長さよりも小さい。従って、側辺の中間部分のみを保護する。このような構造は保護フレーム１５０の４つの枠辺を保護することはできないが、ジャンクションボックス１２０を発電基板１１０に堅固に固定することができる。
【産業上の利用可能性】
【００２８】
以上より、本考案の実施例によれば、周知技術がなしえなかった、ソーラーパネルモジュールの積層中に補助支持フレームを嵌入することにより構造及び製造方法が容易である。実施例において、保護フレーム１５０を更に設けることにより発電基板１１０の欠けによる破損により使用できなくなることを防止できると同時にジャンクションボックス１２０又は１２０ａの一部分を保護フレーム１５０に設けた溝部１５１に嵌入させることにより、ジャンクションボックス１２０又は１２０ａを保護フレーム１５０に堅固に固定することができる。
【符号の説明】
【００２９】
１０  太陽電池パネルモジュール
１００  発電基板装置
１１０  発電基板
１２  ジャンクションボックス
１２０、１２０ａ  ジャンクションボックス
１２１  本体部
１２２  固定ベース
１４、１４０、１４１  固定シール材
１５０  保護フレーム
１５０ｂ、１５０ｌ、１５０ｒ、１５０ｔ  ロッド部材
１５１  溝部
１６１  電線
１６２  電線
２１１  開口
２２１  収容空間
２２２  嵌合部
２２３  固定部
２２４   電線収容凹槽
【図１】
0003200062.tif 000003
【図２】
0003200062.tif 000004
【図３Ａ】
0003200062.tif 000005
【図３Ｂ】
0003200062.tif 000006
【図４Ａ】
0003200062.tif 000007
【図４Ｂ】
0003200062.tif 000008
【図４Ｃ】
0003200062.tif 000009
【図５Ａ】
0003200062.tif 000010
【図５Ｂ】
0003200062.tif 000011
【図５Ｃ】
0003200062.tif 000012
【図６】
0003200062.tif 000013